【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
配列番号：200に示されるようなTEM3タンパク質の細胞外ドメインと特異的に結合する抗体可変領域を含む単離された分子。
【請求項２】
完全な抗体分子である、請求項1の単離された分子。
【請求項３】
単鎖可変領域（ScFv）である、請求項1の単離された分子。
【請求項４】
モノクローナル抗体である、請求項1の単離された分子。
【請求項５】
ヒト化抗体である、請求項1の単離された分子。
【請求項６】
ヒト抗体である、請求項1の単離された分子。
【請求項７】
細胞毒性部分と結合している、請求項1の単離された分子。
【請求項８】
治療用部分と結合している、請求項1の単離された分子。
【請求項９】
検出可能部分と結合している、請求項1の単離された分子。
【請求項１０】
抗腫瘍剤と結合している、請求項1の単離された分子。
【請求項１１】
血管新生を阻害する方法であって、血管新生が阻害されるよう、配列番号：200に示されるようなTEM3タンパク質の細胞外ドメインと特異的に結合する抗体可変領域を含む単離された分子を、有効量、その必要がある被検体へ投与することを含む、方法。
【請求項１２】
被検体が血管が新生した腫瘍を有する、請求項11の方法。
【請求項１３】
被検体が腎多嚢胞病を有している、請求項11の方法。
【請求項１４】
被検体が糖尿病性網膜症を有している、請求項11の方法。
【請求項１５】
被検体が慢性関節リウマチを有している、請求項11の方法。
【請求項１６】
被検体が乾癬を有している、請求項11の方法。
【請求項１７】
腫瘍成長を阻害する方法であって、腫瘍の成長が阻害されるよう、配列番号：200に示されるようなTEM3タンパク質の細胞外ドメインと特異的に結合する抗体可変領域を含む単離された分子を、有効量、腫瘍を保持している被検者へ投与することを含む、方法。
【請求項１８】
配列番号：200に示されるようなTEM3タンパク質と特異的に結合する抗体可変領域を含む単離された分子。
【請求項１９】
単鎖可変領域（ScFv）である、請求項18の単離された分子。
【請求項２０】
モノクローナル抗体である、請求項18の単離された分子。
【請求項２１】
ヒト化抗体である、請求項18の単離された分子。
【請求項２２】
ヒト抗体である、請求項18の単離された分子。
【請求項２３】
細胞毒性部分と結合している、請求項18の単離された分子。
【請求項２４】
治療用部分と結合している、請求項18の単離された分子。
【請求項２５】
検出可能部分と結合している、請求項18の単離された分子。
【請求項２６】
抗腫瘍剤と結合している、請求項18の単離された分子。
【請求項２７】
完全な抗体分子である、請求項18の単離された分子。
【請求項２８】
配列番号：200に示されるような単離および精製されたヒト膜貫通タンパク質：TEM3。
【請求項２９】
配列番号：200に示されるような膜貫通TEM3のコーディング配列を含む単離および精製された核酸分子。
【請求項３０】
配列番号：199および359に示されたものより選択されるコーディング配列を含む、請求項29の単離および精製された核酸分子。
【請求項３１】
配列番号：200に示されるような膜貫通TEM3のコーディング配列を含む核酸分子を含む組換え宿主細胞。
【請求項３２】
配列番号：199および359に示されたものより選択されるコーディング配列を含む、請求項31の組換え宿主細胞。
【請求項３３】
哺乳動物において免疫応答を誘導する方法であって、哺乳動物においてヒト膜貫通タンパク質に対する免疫応答が誘導されるよう、配列番号：200に示されるようなヒト膜貫通タンパク質TEM3のコーディング配列を含む核酸分子を哺乳動物へ投与することを含む、方法。
【請求項３４】
コーディング配列が配列番号：199に示されたものである、請求項33の方法。
【請求項３５】
哺乳動物において免疫応答を誘導する方法であって、哺乳動物においてヒト膜貫通タンパク質に対する免疫応答が誘導されるよう、配列番号：200に示されるような精製されたヒト膜貫通タンパク質TEM3を哺乳動物へ投与することを含む、方法。
【請求項３６】
内皮細胞調節に関与しているリガンドの同定のための方法であって、
配列番号：200に示されるような単離および精製されたヒト膜貫通タンパク質TEM3と、試験化合物を接触させること；
配列番号：200に示されるようなTEMタンパク質3の細胞外ドメインと特異的に結合する抗体可変領域を含む分子と、単離および精製されたヒト膜貫通タンパク質を接触させること；
抗体可変領域を含む分子の、ヒト膜貫通タンパク質との結合を決定し、抗体可変領域を含む分子の、ヒト膜貫通タンパク質との結合を消滅させる試験化合物を、内皮細胞調節に関与しているリガンドとして同定することを含む、方法。
【請求項３７】
内皮細胞調節に関与しているリガンドの同定のための方法であって、
配列番号：200に示されるようなヒト膜貫通タンパク質TEM3を含む細胞と、試験化合物を接触させること；
配列番号：200に示されるようなTEM3の細胞外ドメインと特異的に結合する抗体可変領域を含む分子と、細胞を接触させること；
抗体可変領域を含む分子の、細胞との結合を決定し、抗体可変領域を含む分子の、細胞との結合を消滅させる試験化合物を、内皮細胞調節に関与しているリガンドとして同定することを含む、方法。
【請求項３８】
膜貫通ドメインを欠いている、配列番号：200に示されるようなヒト膜貫通タンパク質TEM3の可溶型。
【請求項３９】
ヒト膜貫通タンパク質の細胞外ドメインからなる、請求項38の可溶型。
【請求項４０】
患者における血管新生を阻害する方法であって、患者における血管新生が阻害されるよう、請求項38記載のヒト膜貫通タンパク質の可溶型を、患者へ投与することを含む、方法。
【請求項４１】
患者における血管新生を阻害する方法であって、患者における血管新生が阻害されるよう、請求項39記載のヒト膜貫通タンパク質の可溶型を、患者へ投与することを含む、方法。
【請求項４２】
患者が血管が新生した腫瘍を有する、請求項40の方法。
【請求項４３】
患者が血管が新生した腫瘍を有する、請求項41の方法。
【請求項４４】
患者が腎多嚢胞病を有している、請求項40の方法。
【請求項４５】
患者が糖尿病性網膜症を有している、請求項40の方法。
【請求項４６】
患者が慢性関節リウマチを有している、請求項40の方法。
【請求項４７】
患者が乾癬を有している、請求項40の方法。
【請求項４８】
患者が腎多嚢胞病を有している、請求項41の方法。
【請求項４９】
患者が糖尿病性網膜症を有している、請求項41の方法。
【請求項５０】
患者が慢性関節リウマチを有している、請求項41の方法。
【請求項５１】
患者が乾癬を有している、請求項41の方法。
【請求項５２】
患者における血管新生の領域を同定する方法であって、
検出可能部分と結合している、配列番号：200に示されるようなTEMタンパク質3の細胞外ドメインと特異的に結合する抗体可変領域を含む分子を、患者へ投与すること；および
患者における検出可能部分を検出し、それにより血管新生を同定することを含む、方法。
【請求項５３】
患者における血管新生をスクリーニングする方法であって、配列番号：200に示されるようなTEMタンパク質3の細胞外ドメインと特異的に結合する抗体可変領域を含む分子と、患者から収集された体液を接触させ、体液中の分子と交差反応物質の検出を、患者における血管新生の指標とすることを含む、方法。
【請求項５４】
患者において腫瘍内皮細胞に対する免疫応答を誘導する方法であって、ヒトTEMタンパク質に対する免疫応答が誘導されるよう、配列番号：291、293、299、295、303、297、301、305、および307に示されるような：1、2、3、9、13、17、19、22、および30からなる群より選択されるマウスTEMタンパク質を、その必要がある患者へ投与することを含む、方法。
【請求項５５】
腫瘍治療用の候補薬物を同定する方法であって、
配列番号：199に示されるようなTEM3遺伝子を発現している細胞を試験化合物と接触させること；
該細胞のmRNAの、該mRNAに相補的な核酸プローブとのハイブリダイゼーションにより、該1個またはそれ以上のTEM遺伝子の発現を測定すること；および
該1個またはそれ以上のTEM遺伝子の発現を減少させる場合、試験化合物を腫瘍治療用の候補薬物として同定することを含む、方法。
【請求項５６】
細胞が内皮細胞である、請求項55の方法。
【請求項５７】
細胞が、1個またはそれ以上のTEMをコードする発現構築物によりトランスフェクトされた組換え宿主細胞である、請求項55の方法。
【請求項５８】
腫瘍治療用の候補薬物を同定する方法であって、
配列番号：200に示されるようなTEM3タンパク質を発現している細胞を試験化合物と接触させること；
該細胞内の該1個またはそれ以上のTEMタンパク質の量を測定すること；および
該細胞内の1個またはそれ以上のTEMタンパク質の量を減少させる場合、その試験化合物を腫瘍治療用の候補薬物として同定することを含む、方法。
【請求項５９】
細胞が内皮細胞である、請求項58の方法。
【請求項６０】
細胞が、1個またはそれ以上のTEMをコードする発現構築物によりトランスフェクトされた組換え宿主細胞である、請求項58の方法。
【請求項６１】
腫瘍治療用の候補薬物を同定する方法であって、
配列番号：200に示されるようなTEM3タンパク質を発現している細胞を試験化合物と接触させること；および
該細胞内の該1個またはそれ以上のTEMタンパク質の活性を測定すること；および
該細胞内の1個またはそれ以上のTEMタンパク質の活性を減少させる場合、その試験化合物を腫瘍治療用の候補薬物として同定することを含む、方法。
【請求項６２】
細胞が内皮細胞である、請求項61の方法。
【請求項６３】
細胞が、1個またはそれ以上のTEMをコードする発現構築物によりトランスフェクトされた組換え宿主細胞である、請求項61の方法。
【請求項６４】
腫瘍を保持している患者の治療用の候補薬物を同定する方法であって、
配列番号：200に示されるようなTEM3タンパク質をコードする発現構築物によりトランスフェクトされた組換え宿主細胞と、試験化合物を接触させること；
該細胞の増殖を測定すること；および
該細胞の増殖を阻害する試験化合物を、腫瘍を保持している患者の治療用の候補薬物として同定することを含む、方法。
【請求項６５】
内皮細胞調節に関与しているリガンドの同定のための方法であって、
配列番号：200に示されるようなヒト膜貫通タンパク質TEM3と、試験化合物を接触させること；
試験化合物のヒト膜貫通タンパク質との結合を決定し、タンパク質と結合する試験化合物を、内皮細胞調節に関与しているリガンドとして同定することを含む、方法。
【請求項６６】
哺乳動物において免疫応答を誘導する方法であって、哺乳動物においてヒト膜貫通タンパク質に対する免疫応答が誘導されるよう、膜貫通タンパク質をコードするベクターを含む組換え宿主細胞であるか、または樹状細胞と腫瘍内皮細胞との融合体である、配列番号：200に示されるような膜貫通タンパク質TEM3を発現している細胞を、哺乳動物へ投与することを含む、方法。
【請求項６７】
血管新生を阻害する方法であって、血管新生が阻害されるよう、それぞれ配列番号：291、293、299、295、297、および301に示されるような：1、2、3、9、17、および19からなる群より選択されるマウスTEMタンパク質の細胞外ドメインと特異的に結合する抗体可変領域を含む単離された分子を、有効量、その必要がある被検体へ投与することを含む、方法。
【請求項６８】
被検体がマウスである、請求項87の方法。
【請求項６９】
被検体が血管が新生した腫瘍を有する、請求項87の方法。
【請求項７０】
被検体が腎多嚢胞病を有している、請求項87の方法。
【請求項７１】
被検体が糖尿病性網膜症を有している、請求項87の方法。
【請求項７２】
被検体が慢性関節リウマチを有している、請求項87の方法。
【請求項７３】
被検体が乾癬を有している、請求項87の方法。